(57)【要約】【課題】  この発明は、スリッパの自然脱抜防止を目的としたものである。【解決手段】  この発明は、スリッパ本体の甲部内側へ、脱げ止め用の突部を設けたことを特徴とするスリッパにより目的を達成した。【選択図】        図２
2005312739.tif 000002
【特許請求の範囲】
【請求項１】
スリッパ本体の甲部内側へ、脱げ止め用の突部を設けたことを特徴とするスリッパ。
【請求項２】
突部は、甲部内側の足指の付け根付近へ当接可能に設けたことを特徴とする請求項１記載のスリッパ。
【請求項３】
突部は、足の甲側を緩傾斜にし、指側を急傾斜にしたことを特徴とする請求項１記載のスリッパ。
【請求項４】
突部は、弾性材であって、突条又は突起とし、甲部は足首へ当接すべく後方へ延長したことを特徴とする請求項１、２又は３記載のスリッパ。
【発明の詳細な説明】
【技術分野】
【０００１】
この発明は主として室内で着用するスリッパの脱げ防止を目的としたスリッパに関する。
【背景技術】
【０００２】
従来知られているスリッパ等の履物は、足を載せる底板上面（足裏接触部）の形状又は、足の甲を覆う甲部の形状又は底板下面の形状に幾多の工夫を凝らし、履き易さは又は健康上の配慮がなされている。
【特許文献１】実開平３−１０９５０１
【特許文献２】特開平１０−１４６０２
【発明の開示】
【発明が解決しようとする課題】
【０００３】
前記従来のスリッパにおいて、特に高齢者の室内用として履き易い反面、脱げ易かったり、鼻緒付スリッパ（引用文献２）では煩わしかったりする問題点があった。
【０００４】
特に階段の昇り降りその他平面歩行以外の歩行時に脱げ易い問題点があった。
【課題を解決するための手段】
【０００５】
この発明は、前記問題点について幾多の改善を試み、簡単な構造であって、平面歩行時には従来スリッパと変わりなく、階段などの歩行時に脱げ防止になるべく、甲部内側に突部を設けたスリッパを開発したのである。
【０００６】
即ちこの発明は、スリッパ本体の甲部内側へ、脱げ止め用の突部を設けたことを特徴とするスリッパであり、突部は、甲部内側の足指の付け根付近へ当接可能に設けたものである。
【０００７】
また、突部は、足の甲側を緩傾斜にし、指側を急傾斜にしたものであり、突部は、弾性材であって、突条又は突起とし、甲部は足首へ当接すべく後方へ延長したものである。
【０００８】
前記発明において、突部は足指の付け根付近に当接し、甲部の後方は足首部に当接すべく後方へ延長してある。
【０００９】
従ってスリッパと、足とは接触面積が多くなって脱抜しにくい状況となることは明らかである。
【００１０】
前記発明は、スリッパについて記載したが、足を載せる底板の上部に甲部を設けた履物（例えばサンダル）はこの発明の技術的範囲に属する。即ち履物の甲部内側へ突部を設けると、着用して歩行する際に、履物の脱抜を有効に阻止することができるので、構成、作用効果が同一である。
【発明の効果】
【００１１】
この発明は甲部内側に突部を設けたので、スリッパと指とが突部を介して接触（摩擦）を強めその脱抜を防止することができる効果がある。
【００１２】
またスリッパの甲部を後方に延長してあるので、該部が足首と当接し、スリッパの脱抜を有効に防止し得る効果がある。
【発明を実施するための最良の形態】
【００１３】
この発明は、スリッパ本体の甲部内側へ、脱げ止め用の突部を、足の指の付け根へ直角方向に設け、前記甲部を足首と当接するように延長したスリッパである。この発明のスリッパは、甲部内側が着用者の足指と、足首部へ当接するので、老齢者が着用しても脱げにくくなり、特に階段を昇る時などにスリッパが脱げて、その先端側が踏板先端にぶつかり、又は踏板上で滑り、不慮の危害を生じるおそれはない。
【実施例】
【００１４】
この発明の実施例を図１、２に基づいて説明すると、底板１の上部へ、足６の甲を覆う甲部２を設け、甲部２の爪先側内側２ａへ、指３とほぼ直角方向に突条４を設けて、この発明のスリッパ５を構成した（図２）。
【００１５】
前記実施例において、突条４の下部を断面円弧状にしたが、図３（ａ）のように突条４ａの先端側を円弧面４ｃとし、後端側を傾斜面４ｄとした場合には、足を挿入し易く（傾斜面）、そして脱抜に抵抗を付与（円弧面）することができる。また突条４に代えて突起４ｂを並列設置することもできる（図３（ｂ））。
【００１６】
次に甲部の足首側２ｂを狭くし（例えばＬ＞Ｌ１）かつ甲部の開口縁２ｃを、足首からかかとにかけて傾斜させると、甲部の開口縁内側を足の側面へ当接させることもできる。
【００１７】
前記実施例においては、甲部の爪先部２ｄを塞いだが、該部へ透孔を設けても同様である。前記実施例は、底板１の上面１ａを緩弧状に形成したが、該部が平面状であっても、小凸部を設けてあっても、何れもこの発明の実施例となる。
【図面の簡単な説明】
【００１８】
【図１】この発明の実施例の平面図。
【図２】同じく断面図。
【図３】（ａ）同じく他の実施例の一部断面図、（ｂ）同じく他の実施例の一部断面図。
【符号の説明】
【００１９】
１  底板
２  甲部
３  指
４  突条
５  スリッパ
６  足
【図１】
2005312739.tif 000003
【図２】
2005312739.tif 000004
【図３】
2005312739.tif 000005
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
スリッパ本体の甲部内側に、足指の付け根付近へ足指と直角方向であって、断面円孤状に膨出し、足指と弾力的に接触できる脱げ止め用の突部を設けたことを特徴とするスリッパ。
【請求項２】
突部は、甲部内側の足指の付け根付近へ、その下面が、足指の上面に当接可能に設けたことを特徴とする請求項１記載のスリッパ。
【請求項３】
突部は、足の甲側を緩傾斜にし、指側を急傾斜にしたことを特徴とする請求項１記載のスリッパ。
【請求項４】
突部は、弾性材であって、突条又は突起とし、甲部の後縁部は足首へ当接すべく後方へ延長したことを特徴とする請求項１、２又は３記載のスリッパ。
【手続補正２】
【補正対象書類名】明細書
【補正対象項目名】０００２
【補正方法】変更
【補正の内容】
【０００２】
従来知られているスリッパ等の履物は、足を載せる底板上面（足裏接触部）の形状又は、足の甲を覆う甲部の形状又は底板下面の形状に幾多の工夫を凝らし、履き易さ又は健康上の配慮がなされている。
【手続補正３】
【補正対象書類名】明細書
【補正対象項目名】０００６
【補正方法】変更
【補正の内容】
【０００６】
即ちこの発明は、スリッパ本体の甲部内側に、足指の付け根付近へ足指と直角方向であって、断面円孤状に膨出し、足指と弾力的に接触できる脱げ止め用の突部を設けたことを特徴とするスリッパであり、突部は、甲部内側の足指の付け根付近へ、その下面が、足指の上面に当接可能に設けたものである。
【手続補正４】
【補正対象書類名】明細書
【補正対象項目名】０００８
【補正方法】変更
【補正の内容】
【０００８】
前記発明において、突部は足指の付け根付近に当接し、甲部の後縁部は足首部に当接すべく後方へ延長してある。
【手続補正５】
【補正対象書類名】明細書
【補正対象項目名】００１１
【補正方法】変更
【補正の内容】
【００１１】
この発明は甲部内側に足指の付け根付近へ足指と直角方向であって、断面円孤状に膨出し、足指と弾力的に接触できる突部を設けたので、スリッパと指とが突部を介して接触（摩擦）を強めその脱抜を防止することができる効果がある。
【手続補正６】
【補正対象書類名】明細書
【補正対象項目名】００１２
【補正方法】変更
【補正の内容】
【００１２】
またスリッパの甲部の後縁部を後方に延長してあるので、該部が足首と当接し、スリッパの脱抜を有効に防止し得る効果がある。
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
スリッパ本体の甲部内側に、足指の付け根付近へ足指と直角方向であって、断面円孤状に膨出し、その膨出面が足指の上面と弾力的に接触できる脱げ止め用の突部であって、該突部は足首側２ｂより広くした爪先側内側２ａの爪先側に設けたことを特徴とするスリッパ。
【請求項２】
突部は、甲部内側の足指の付け根付近へ、その下面が、足指の上面に当接可能に設けたことを特徴とする請求項１記載のスリッパ。
【請求項３】
突部は、足の甲側を緩傾斜にし、指側を急傾斜にしたことを特徴とする請求項１記載のスリッパ。
【請求項４】
突部は、弾性材であって、突条又は突起とし、甲部の後縁部は足首へ当接すべく後方へ延長したことを特徴とする請求項１、２又は３記載のスリッパ。
【手続補正２】
【補正対象書類名】明細書
【補正対象項目名】０００６
【補正方法】変更
【補正の内容】
【０００６】
即ちこの発明は、スリッパ本体の甲部内側に、足指の付け根付近へ足指と直角方向であって、断面円孤状に膨出し、その膨出面が足指の上面と弾力的に接触できる脱げ止め用の突部であって、該突部は足首側２ｂより広くした爪先側内側２ａの爪先側に設けたことを特徴とするスリッパであり、突部は、甲部内側の足指の付け根付近へ、その下面が、足指の上面に当接可能に設けたものである。